(57)【要約】【課題】磁気ディスク装置におけるランプ装置１０の機能の信頼性を高める。【解決手段】磁気ヘッドを、タブを介して磁気ディスク３の記録面からの退避位置に支持する本体部１１と、ベースプレートの台座部にビスで緊結される取付フランジ部１２からなり、前記台座部に対する取付フランジ部１２の着座面１２２を、前記ビスが挿通される取付孔１２１の軸心を通り磁気ディスク３に対する本体部１１の向きと直交する直線Ｌを対称軸とする略対称形状に形成する。このようにすれば、ランプ装置１０が熱膨張しても、前記直線Ｌの両側で、取付フランジ部１２の熱膨張量が等しくなるため、熱膨張差によるランプ装置１０の傾斜変位を生じない。【選択図】図３
2008016149.tif 000002
【特許請求の範囲】
【請求項１】
磁気ヘッド（４）を、タブ（５ｂ）を介して磁気ディスク（３）の記録面からの退避位置に支持する本体部（１１）と、ベースプレート（１）の台座部（１ａ）にビス（８）で緊結される取付フランジ部（１２）からなり、前記台座部（１ａ）に対する前記取付フランジ部（１２）の着座面（１２２）を、前記ビス（８）が挿通される取付孔（１２１）の軸心を通り前記磁気ディスク（３）に対する前記本体部（１１）の向きと直交する直線（Ｌ）を対称軸とする略対称形状に形成したことを特徴とする磁気ディスク装置用ランプ装置。
【発明の詳細な説明】
【技術分野】
【０００１】
本発明は、ロード・アンロード方式（ランプ・ロード方式）の磁気ディスク装置において、磁気ディスク上を移動する磁気ヘッドを待機させるランプ装置に関するものである。
【背景技術】
【０００２】
図１１は、ロード・アンロード方式の磁気ディスク装置の一部を示す平面図、図１２は、この種の磁気ディスク装置１００に使用される従来のランプ装置を示す底面図、図１３は、図１２におけるXIII−XIII断面図、図１４は、図１２におけるXIV方向から見た部分的な矢視図である。すなわち、図１１に示される磁気ディスク装置１００において、参照符号１０２は磁気記録媒体である磁気ディスクで、ベースプレート１０１に取り付けられたスピンドル１０３によって回転駆動される。
【０００３】
図１１における参照符号１０４は、磁気ディスク１０２に対するデータの書き込み・読み出しを行う磁気ヘッドで、ピボット１０６に旋回可能に支持されて不図示のアクチュエータ（ボイスコイルモータ）により駆動されるキャリッジ１０５のサスペンションアーム１０５ａの先端近傍に取り付けられ、このキャリッジ１０５の旋回動作によって、磁気ディスク１０２の記録面上を移動する。
【０００４】
また、キャリッジ１０５のサスペンションアーム１０５ａの最先端部にはタブ１０５ｂが設けられる一方、キャリッジ１０５の旋回動作によるタブ１０５ｂの移動軌跡上であって磁気ディスク１０２の外周に位置して、ベースプレート１０１にランプ装置１１０がビス１０７で取り付けられており、磁気ディスク１０２の停止時に、タブ１０５ｂをランプ装置１１０上に保持することによって、磁気ヘッド１０４を磁気ディスク１０２から浮上した位置に退避させるようになっている。
【０００５】
詳しくは、ランプ装置１１０は合成樹脂材で成形されたものであって、図１２、図１３及び図１４に示されるように、キャリッジ１０５の旋回動作に伴ってタブ１０５ｂを緩やかに乗り上げさせる斜面状のリフト面１１１ａ及び磁気ディスク１０２の外周縁が所要の隙間をもって挿入されるスリット１１１ｂが形成された本体部１１１と、ベースプレート１０１に形成された台座部１０１ａにビス１０７で緊結される取付フランジ部１１２とを備える（例えば特許文献１参照）。
【特許文献１】特開２００４−１２７４４１号公報
【０００６】
ここで、この種のランプ装置１１０は、図１１に示されるように、ベースプレート１０１の側面部１０１ｂ近傍に取り付けられることや、本体部１１１が、キャリッジ１０５の旋回動作によるタブ１０５ｂの移動軌跡と対応するように、ベースプレート１０１の側面部１０１ｂに対して傾斜していることなどの関係で、取付フランジ部１１２が磁気ディスク１０２側を向いた端部１１２ａで幅が広く、その反対側の端部１１２ｂで幅が狭くなる形状に形成されている。このため、ビス１０７を挿通するための孔１１２ｃは、幅の広いほうの端部１１２ａに偏在して開設されている。また、この取付フランジ部１１２は、その片面の略全域（図１２に斜線を付して示す領域）が、ベースプレート１０１の台座部１０１ａに密接される。
【０００７】
ところがこの場合、ランプ装置１１０が磁気ディスク装置１００の駆動時の温度上昇によって熱膨張すると、図１３に示されるように、取付フランジ部１１２は、端部１１２ａ側ではビス１０７の緊結力によって熱膨張が小さく抑えられるのに対し、その反対側の端部１１２ｂでは大きく熱膨張するので、ランプ装置１１０が、図１３における反時計方向へ傾斜するように変位する。
【０００８】
そして、このような傾斜によって、ランプ装置１１０の本体部１１１に形成されたリフト面１１１ａが図１４に破線で示されるように変位し、すなわち、リフト面１１１ａの全体が高くなると共に、その傾斜角度も大きくなる。このため、磁気ヘッド１０４を退避させる際に、タブ１０５ｂが、図１４に実線で示される本来の支持位置よりも磁気ヘッド１０４側の、破線で示される位置でリフト面１１１ａに接触してしまい、しかもリフト面１１１ａの傾斜角度が大きくなることによって、タブ１０５ｂが接触した時の衝撃が大きくなったり、タブ１０５ｂの円滑な乗り上げも困難になる。したがって、振動によるノイズを発生し、正常なデータの読み書きができなくなったり、磁気ヘッド１０４の退避位置が不安定になるといった問題が指摘される。
【発明の開示】
【発明が解決しようとする課題】
【０００９】
本発明は、以上のような点に鑑みてなされたものであって、その技術的課題とするところは、磁気ディスク装置におけるランプ装置の機能の信頼性を高めることにある。
【課題を解決するための手段】
【００１０】
上述した技術的課題を有効に解決するための手段として、本発明に係る磁気ディスク装置用ランプ装置は、磁気ヘッドを、タブを介して磁気ディスクの記録面からの退避位置に支持する本体部と、ベースプレートの台座部にビスで緊結される取付フランジ部からなり、前記台座部に対する前記取付フランジ部の着座面を、前記ビスが挿通される取付孔の軸心を通り前記磁気ディスクに対する前記本体部の向きと直交する直線を対称軸とする略対称形状に形成したものである。
【００１１】
上記構成のランプ装置によれば、磁気ディスク装置の駆動時の温度上昇によって熱膨張しても、ビスが挿通される取付孔の軸心を通り前記磁気ディスクに対する本体部の向きと直交する直線の両側で、取付フランジ部の熱膨張量が等しくなるため、熱膨張差によるランプ装置の傾斜変位を生じない。
【発明の効果】
【００１２】
本発明に係る磁気ディスク装置用ランプ装置によれば、磁気ディスク装置の駆動時の温度上昇によって本体部が傾斜することがないため、磁気ヘッドを退避させる際に、本体部へのタブの乗り上がりの円滑性が損なわれず、その結果、正常なデータの読み書きができなくなったり、磁気ヘッドの退避位置が不安定になるのを有効に防止することができる。
【発明を実施するための最良の形態】
【００１３】
以下、本発明に係る磁気ディスク装置用ランプ装置の好適な実施の形態について、図面を参照しながら説明する。まず図１は、本発明に係るランプ装置が用いられる磁気ディスク装置を示す、トップカバーを取り去った状態の平面図、図２は、本発明に係るランプ装置の第一の形態を示す装着状態の平面図、図３は、図２のランプ装置をベースプレートの台座部側から見た底面図、図４は、図２におけるIV−IV断面図、図５は、図２におけるＶ−Ｖ断面図である。
【００１４】
まず図１に示される磁気ディスク装置は、ベースプレート１にスピンドル２が設けられ、このスピンドル２によって磁気ディスク（ハードディスク）３が回転されるようになっている。
【００１５】
参照符号４は、磁気ディスク３に対するデータの読み書きを行う磁気ヘッドで、ピボット６を中心として旋回可能なキャリッジ５のサスペンションアーム５ａの先端近傍に取り付けられ、このキャリッジ５の旋回動作によって、磁気ディスク３の記録面から僅かに浮上した状態で移動する。
【００１６】
参照符号７は、キャリッジ５を駆動させるアクチュエータとしてのボイスコイルモータ（ＶＣＭ）であって、ベースプレート１に取り付けられた不図示の磁気回路と、キャリッジ５における磁気ヘッド４と反対側の端部に設けられたボイスコイル７ａからなり、ボイスコイル７ａに電流を投入して励磁することによって、前記磁気回路との間に作用する磁力でキャリッジ５をピボット６を中心として旋回させ、これによって磁気ヘッド４を磁気ディスク３のほぼ半径方向へ移動させるものである。
【００１７】
参照符号１０は、本発明に係るランプ装置であり、磁気ディスク３へのデータの書き込みや読み出しをしない時や、機器停止時に、磁気ヘッド４を、キャリッジ５のサスペンションアーム５ａの先端に設けられたタブ５ｂを介して、磁気ディスク３の記録面からの退避位置に支持するものである。
【００１８】
詳しくは、ランプ装置１０は合成樹脂材で成形されたものであって、図２示されるように、本体部１１と、その片側に張り出し形成されて、ベースプレート１の台座部１ａにビス８で緊結される取付フランジ部１２とを備える。本体部１１には、図２及び図４に示されるように、キャリッジ５のサスペンションアーム５ａの先端に設けられたタブ５ｂを、緩やかに乗り上げさせることによって、磁気ヘッド４を磁気ディスク３から浮上した位置に退避させる斜面状のリフト面１１ａと、磁気ディスク３の外周縁が所要の隙間をもって挿入されるスリット１１ｂが形成されている。また、本体部１１における取付フランジ部１２と反対側の面１１ｃは、サスペンションアーム５ａの先端部の軌跡と略対応する円弧面状の凹面をなしている。
【００１９】
取付フランジ部１２は、ベースプレート１に対するランプ装置１０の取付方向や取付スペースの関係上、磁気ディスク３側を向いた端部１２ａで幅が広く、その反対側の端部１２ｂで幅が狭くなる形状となっており、ビス８を挿通するための取付孔１２１が、図３に示されるように、幅の広いほうの端部１２ａに偏在して開設されている。
【００２０】
図３及び図５に示されるように、取付フランジ部１２の底面１２ｃには、ベースプレート１の台座部１ａに対する着座面１２２が、取付孔１２１の軸心、言い換えればビス８の軸心を通り磁気ディスク３に対する本体部１１の向きと直交する直線Ｌを対称軸とする略対称形状、すなわちこの形態においては取付孔１２１と同心の円形をなして、段差１２２ａをもって突設されている。
【００２１】
上述の構成を備えるランプ装置１０は、磁気ディスク装置の駆動時の温度上昇によって熱膨張するが、取付フランジ部１２における取付孔１２１の周囲では、図５に示されるように、ビス８の頭部８ａと、ベースプレート１の台座部１ａとの間での拘束力によって、膨張が規制される。しかも、台座部１ａに対する取付フランジ部１２の着座面１２２は、取付孔１２１と同心の円形をなすため、取付孔１２１の軸心を通り磁気ディスク３に対する本体部１１の向きと直交する直線Ｌの両側で、取付フランジ部１２の厚さ方向に対する熱膨張量が等しくなる。
【００２２】
したがって、熱膨張差によってランプ装置１０が傾斜変位せず、しかも上述した拘束力によって、熱膨張による厚さ方向へのフランジ部１２の寸法変化も小さく抑えられるので、本体部１１のリフト面１１ａの変位が小さくなる。このため、図１に示されるボイスコイルモータ７によって、ピボット６を中心としてキャリッジ５を旋回させ、磁気ヘッド４を退避させる際に、図４に示されるように、キャリッジ５のサスペンションアーム５ａの先端に設けられたタブ５ｂが、本体部１１のリフト面１１ａに円滑に乗り上がり、しかも、タブ５ｂがリフト面１１ａと接触する際の衝撃が大きくなることもない。
【００２３】
図６から図１０は、それぞれ本発明に係るランプ装置の他の形態として、着座面１２２の形状の変更例を、ベースプレートの台座部側から見た底面図である。
【００２４】
このうち、図６に示される形態は、取付フランジ部１２の着座面１２２を、取付孔１２１の軸心を通り磁気ディスク３に対する本体部１１の向きと直交する直線Ｌを対称軸として略対称であって、一辺が前記直線Ｌと平行な正方形となるように形成したものである。
【００２５】
また、図７に示される形態は、取付フランジ部１２の着座面１２２を、取付孔１２１の軸心を通り磁気ディスク３に対する本体部１１の向きと直交する直線Ｌを対称軸として略対称であって、本体部１１の向きと平行な方向（直線Ｌと直交する方向）に細長い長円形となるように形成したものである。
【００２６】
また、図８に示される形態は、取付フランジ部１２の着座面１２２を、取付孔１２１の軸心を通り磁気ディスク３に対する本体部１１の向きと直交する直線Ｌを対称軸として略対称であって、短辺が前記直線Ｌと平行（長辺が本体部１１の向きと平行）な長方形となるように形成したものである。
【００２７】
また、図９に示される形態は、取付フランジ部１２の着座面１２２を、取付孔１２１の軸心を通り磁気ディスク３に対する本体部１１の向きと直交する直線Ｌを対称軸として略対称であって、本体部１１の向きと平行な方向（直線Ｌと直交する方向）に細長く、短軸が直線Ｌ上にある楕円形となるように形成したものである。
【００２８】
また、図１０に示される形態は、取付フランジ部１２の着座面１２２と含む平面１２３を、取付孔１２１の軸心を通り磁気ディスク３に対する本体部１１の向きと直交する直線Ｌを対称軸として略対称であって、一辺が前記直線Ｌと平行な正方形又は長方形をなすように形成したものである。すなわち、この形態においては、平面１２３のうち、網掛けによって示される領域（着座面１２２）が、ベースプレート１の台座部１ａに密接されるものである。
【００２９】
上述した図６から図１０のいずれのランプ装置１０も、先に説明した第一の形態と同様、取付孔１２１の軸心を通り磁気ディスク３に対する本体部１１の向きと直交する直線Ｌの両側で、取付フランジ部１２の厚さ方向に対する熱膨張量が等しくなるので、傾斜変位が発生せず、ビスの拘束力によって、熱膨張による厚さ方向へのフランジ部１２の寸法変化も小さく抑えられる。このため、磁気ヘッド４を退避させる際に、図４に示されるように、キャリッジ５のサスペンションアーム５ａの先端に設けられたタブ５ｂを、本体部１１のリフト面１１ａにおけるほぼ一定の位置に乗り上げて支持させることができる。
【図面の簡単な説明】
【００３０】
【図１】本発明に係るランプ装置が用いられる磁気ディスク装置を示す、トップカバーを取り去った状態の平面図である。
【図２】本発明に係るランプ装置の第一の形態を示す装着状態の平面図である。
【図３】図２のランプ装置をベースプレートの台座部側から見た底面図である。
【図４】図２におけるIV−IV断面図である。
【図５】図２におけるＶ−Ｖ断面図である。
【図６】本発明に係るランプ装置の他の形態を、ベースプレートの台座部側から見た底面図である。
【図７】本発明に係るランプ装置の他の形態を、ベースプレートの台座部側から見た底面図である。
【図８】本発明に係るランプ装置の他の形態を、ベースプレートの台座部側から見た底面図である。
【図９】本発明に係るランプ装置の他の形態を、ベースプレートの台座部側から見た底面図である。
【図１０】本発明に係るランプ装置の他の形態を、ベースプレートの台座部側から見た底面図である。
【図１１】ロード・アンロード方式の磁気ディスク装置の一部を示す平面図である。
【図１２】図１１の磁気ディスク装置に使用される従来のランプ装置を示す底面図である。
【図１３】図１２におけるXIII−XIII断面図である。
【図１４】図１２におけるXIV方向から見た部分的な矢視図である。
【符号の説明】
【００３１】
１  ベースプレート
１ａ  台座部
２  スピンドル
３  磁気ディスク
４  磁気ヘッド
５  キャリッジ
５ａ  サスペンションアーム
５ｂ  タブ
６  ピボット
７  ボイスコイルモータ
８  ビス
１０  ランプ装置
１１  本体部
１１ａ  リフト面
１１ｂ  スリット
１２  取付フランジ部
１２１  取付孔
１２２  着座面
１２２ａ  段差
【図１】
2008016149.tif 000003
【図２】
2008016149.tif 000004
【図３】
2008016149.tif 000005
【図４】
2008016149.tif 000006
【図５】
2008016149.tif 000007
【図６】
2008016149.tif 000008
【図７】
2008016149.tif 000009
【図８】
2008016149.tif 000010
【図９】
2008016149.tif 000011
【図１０】
2008016149.tif 000012
【図１１】
2008016149.tif 000013
【図１２】
2008016149.tif 000014
【図１３】
2008016149.tif 000015
【図１４】
2008016149.tif 000016